(57)【要約】【課題】  支持ワッシャと器具本体との間に電線が挟まれにくい照明器具を提供する。【解決手段】  器具本体１は上下に貫設されたボルト挿通穴１０ａを有し、天井面から垂下されてボルト挿通穴１０ａに挿通された支持ボルトＢに取り付けられた支持ワッシャＷと支持ナットＮとによって支持される。器具本体１において、ボルト挿通穴１０ａを挟む配置で２個の被支持突起１１を下方へ突設した。支持ワッシャＷには被支持突起１１が当接し、器具本体１の他の部位と支持ワッシャＷとの間に隙間が生じることにより、支持ワッシャＷと器具本体１との間に電線４が挟まれにくい。【選択図】図１
2008098112.tif 000002
【特許請求の範囲】
【請求項１】
天井面から垂下された支持ボルトが挿通されるボルト挿通穴を有し、ボルト挿通穴に挿通された支持ボルトに螺合する支持ナットと支持ナットの上側において支持ボルトに挿通された支持ワッシャとによって支持される器具本体と、
器具本体の下側において器具本体に保持されランプが電気的且つ機械的に接続されるソケットと、
器具本体の下側において器具本体に保持され電線を介してソケットに電気的に接続されてランプを点灯させる点灯装置とを備え、
支持ワッシャの上面に当接することにより、点灯装置とソケットとを電気的に接続する電線を挿通可能な空間を器具本体の他の部位の下面と支持ワッシャの上面との間に確保する被支持部が器具本体に設けられていることを特徴とする照明器具。
【請求項２】
器具本体は金属板からなり、
被支持部は、ボルト挿通穴の開口縁部を下方へ切り起こすことで形成されていることを特徴とする請求項１記載の照明器具。
【請求項３】
器具本体は金属板からなり、
被支持部は、バーリング加工によりボルト挿通穴を囲む筒形状に形成されていることを特徴とする請求項１記載の照明器具。
【請求項４】
器具本体の下面において鉛直方向から見て支持ワッシャの一部が重なる範囲には電線が挿通される空間を内部に構成する電線挿通凹部が設けられ、電線挿通凹部の開口縁が被支持部となっていることを特徴とする請求項１記載の照明器具。
【発明の詳細な説明】
【技術分野】
【０００１】
本発明は、天井面から吊下げ支持される照明器具に関するものである。
【背景技術】
【０００２】
従来から、天井面から垂下された支持ボルトに螺合する支持ナットと支持ナットの上側において支持ボルトに挿通された支持ワッシャとによって支持される照明器具が提供されている（例えば、特許文献１参照）。
【０００３】
この種の照明器具として、図９に示すように、支持ボルトＢが挿通されるボルト挿通穴１０ａが上下に貫設された器具本体１を有するものが提供されている。
【０００４】
図９の照明器具は、ランプとしての直管型の蛍光灯（図示せず）が２本取り付けられるいわゆる富士山型のものであって、器具本体１は、下向きに長方形状に開口した収納凹部１０を有する。収納凹部１０の内面において、長手方向の両端部にはそれぞれ蛍光灯の一方の端子が電気的且つ機械的に接続されるソケット２が前後に並べて設けられている。また、収納凹部１０の内底面において長手方向の中央部には点灯装置としての安定器３が保持され、長手方向の一方側の各ソケット２はそれぞれ電線４を介して点灯装置としての安定器３に電気的に接続されている。図１０に示すように、ボルト挿通穴１０ａに上側から挿入された支持ボルトＢに支持ワッシャＷと支持ナットＮとが取り付けられた後、器具本体１には、支持ボルトＢとの連結部と、安定器３とをそれぞれ覆うカバー５が取り付けられる。
【０００５】
さらに、器具本体１及びカバー５はそれぞれ反射板を兼ねており、少なくとも収納凹部１０の内面とカバー５の下面とはそれぞれ放電灯の光を反射するように例えば白色とされている。
【特許文献１】特許第２５７２８６７号公報
【発明の開示】
【発明が解決しようとする課題】
【０００６】
ここで、図１１及び図１２に示すように、電線４が支持ワッシャＷの上面と収納凹部１０の底面との間に挟まれると、電線４に断線が生じるおそれがある。従って、施工に際しては、支持ワッシャＷの上面と収納凹部１０の底面との間に電線４が挟まれることがないように、予め電線４を粘着テープで固定するなどの作業が必要であって施工性が低かった。
【０００７】
本発明は、上記事由に鑑みて為されたものであり、その目的は、支持ワッシャと器具本体との間に電線が挟まれにくい照明器具を提供することにある。
【課題を解決するための手段】
【０００８】
請求項１の発明は、天井面から垂下された支持ボルトが挿通されるボルト挿通穴を有し、ボルト挿通穴に挿通された支持ボルトに螺合する支持ナットと支持ナットの上側において支持ボルトに挿通された支持ワッシャとによって支持される器具本体と、器具本体の下側において器具本体に保持されランプが電気的且つ機械的に接続されるソケットと、器具本体の下側において器具本体に保持され電線を介してソケットに電気的に接続されてランプを点灯させる点灯装置とを備え、支持ワッシャの上面に当接することにより、点灯装置とソケットとを電気的に接続する電線を挿通可能な空間を器具本体の他の部位の下面と支持ワッシャの上面との間に確保する被支持部が器具本体に設けられていることを特徴とする。
【０００９】
請求項２の発明は、請求項１の発明において、器具本体は金属板からなり、被支持部は、ボルト挿通穴の開口縁部を下方へ切り起こすことで形成されていることを特徴とする。
【００１０】
請求項３の発明は、請求項１の発明において、器具本体は金属板からなり、被支持部は、バーリング加工によりボルト挿通穴を囲む筒形状に形成されていることを特徴とする。
【００１１】
請求項４の発明は、請求項１の発明において、器具本体の下面において鉛直方向から見て支持ワッシャの一部が重なる範囲には電線が挿通される空間を内部に構成する電線挿通凹部が設けられ、電線挿通凹部の開口縁が被支持部となっていることを特徴とする。
【発明の効果】
【００１２】
支持ワッシャの上面に当接することにより、点灯装置とソケットとを電気的に接続する電線を挿通可能な空間を器具本体の他の部位の下面と支持ワッシャの上面との間に確保する被支持部が器具本体に設けられているので、電線が上記空間に挿通されることにより支持ワッシャと器具本体との間に挟まれにくい。
【発明を実施するための最良の形態】
【００１３】
以下、本発明を実施するための最良の形態について、図面を参照しながら説明する。
【００１４】
なお、以下の各実施形態の基本構成は従来例と共通であるので、共通する部分については同じ符号を付して詳細な説明を省略する。
【００１５】
（実施形態１）
本実施形態において、器具本体１は、金属板に打ち抜き加工と曲げ加工とが施されてなり、図１（ａ）（ｂ）に示すように、器具本体１の短手方向の両側からボルト挿通穴１０ａを挟む２箇所がそれぞれ下方へ切り起こされてなる被支持突起１１を、各ボルト挿通穴１０ａについて２個ずつ計４個有する。被支持突起１１間の距離は、支持ワッシャＷの外径よりも小さくしてあり、器具本体１は、被支持突起１１において支持ワッシャＷに支持される。
【００１６】
また、収納凹部１０の底面からの被支持突起１１の突出寸法Ｈ１は、電線４の外径Ｒ１よりも大きくしてある。これにより、図２（ａ）（ｂ）に示すように支持ワッシャＷの上面と器具本体１の下面（収納凹部１０の底面）との間には、電線４を挿通可能な隙間が生じている。電線４は、図１（ａ）（ｂ）のように被支持突起１１の外側を通してもよいし、図２（ａ）（ｂ）に示すように被支持突起１１の間を通してもよい。
【００１７】
上記構成によれば、被支持突起１１により器具本体１と支持ワッシャＷとの間に生じた隙間に電線４を通すことができるから、器具本体１の他の部位の下面と支持ワッシャＷの上面との間に電線４が挟まれにくい。
【００１８】
（実施形態２）
本実施形態における器具本体１も、実施形態１と同様に金属板に打ち抜き加工と曲げ加工とが施されてなる。本実施形態の器具本体１には、図３（ａ）（ｂ）及び図４（ａ）（ｂ）に示すように、それぞれボルト挿通穴１０ａを囲む筒形状であって下方へ突出する被支持筒１２が、各ボルト挿通穴１０ａに１個ずつ計２個、それぞれバーリング加工によって設けられている。被支持筒１２の内径は、支持ワッシャＷの外径よりも小さくしてあり、器具本体１は、被支持筒１２において支持ワッシャに支持される。
【００１９】
また、収納凹部１０の底面からの被支持筒１２の突出寸法Ｈ２は、電線４の外径Ｒ１よりも大きくしてある。これにより、図４（ａ）（ｂ）に示すように支持ワッシャＷの上面と器具本体１の下面（収納凹部１０の底面）との間には、電線４を挿通可能な隙間が生じている。電線４は、被支持筒１２の脇を通される。
【００２０】
上記構成によれば、被支持筒１２により器具本体１と支持ワッシャＷとの間に生じた隙間に電線４を通すことができるから、器具本体１の他の部位の下面と支持ワッシャＷの上面との間に電線４が挟まれにくい。
【００２１】
（実施形態３）
本実施形態における器具本体１も、実施形態１と同様に金属板に打ち抜き加工と曲げ加工とが施されてなる。本実施形態の器具本体１において、ボルト挿通穴１０ａに対して器具本体１の短手方向に近接する位置には、図５（ａ）（ｂ）及び図６（ａ）（ｂ）に示すように、器具本体１の長手方向に長い電線挿通凹部１３がプレス加工によって設けられている。
【００２２】
電線挿通凹部１３の深さ寸法Ｄ１及び幅寸法は電線４の外径Ｒ１よりも大きくしてあり、かつ器具本体１の長手方向における支持ワッシャＷの端よりも電線挿通凹部１３は器具本体１の長手方向に延長されており、電線挿通凹部１３の開口縁と支持ワッシャＷの外周との間には電線４の外径Ｒ１よりも広い隙間が空くようにしてある。これにより、図６（ａ）（ｂ）に示すように支持ワッシャＷの上面と電線挿通凹部１３の内面との間には電線４を挿通可能な隙間が空く。また、器具本体１において電線挿通凹部１３とボルト挿通穴１０ａとの間に挟まれた部位は、支持ワッシャＷの上面に当接して支持される被支持部となっている。
【００２３】
上記構成によれば、電線挿通凹部１３に電線４が通されることにより、器具本体１の他の部位の下面と支持ワッシャＷの上面との間に電線４が挟まれにくい。
【００２４】
ここで、図７（ａ）（ｂ）及び図８（ａ）（ｂ）に示すように、ボルト挿通穴１０ａを挟む両側でそれぞれ器具本体１に固定された２個の脚部６１と、２個の脚部６１の下端間に架設され支持ボルトＢが挿通されるボルト挿通穴６１ａが上下に貫設された被支持部６２とを有する被支持部材６を器具本体に取り付けても同様の効果を得ることができるが、実施形態１〜３の構成のほうが被支持部材６のような別部品を必要としないから望ましい。
【図面の簡単な説明】
【００２５】
【図１】（ａ）（ｂ）はそれぞれ本発明の実施形態１を示し、（ａ）は一部破断した斜視図、（ｂ）は（ａ）の要部を拡大した斜視図である。
【図２】（ａ）（ｂ）はそれぞれ同上を示し、（ａ）は断面図、（ｂ）は（ａ）の要部を拡大した断面図である。
【図３】（ａ）（ｂ）はそれぞれ本発明の実施形態２を示し、（ａ）は一部破断した斜視図、（ｂ）は（ａ）の要部を拡大した斜視図である。
【図４】（ａ）（ｂ）はそれぞれ同上を示し、（ａ）は断面図、（ｂ）は（ａ）の要部を拡大した断面図である。
【図５】（ａ）（ｂ）はそれぞれ本発明の実施形態３を示し、（ａ）は一部破断した斜視図、（ｂ）は（ａ）の要部を拡大した斜視図である。
【図６】（ａ）（ｂ）はそれぞれ同上を示し、（ａ）は断面図、（ｂ）は（ａ）の要部を拡大した断面図である。
【図７】（ａ）（ｂ）はそれぞれ同上の比較例を示し、（ａ）は一部破断した斜視図、（ｂ）は（ａ）の要部を拡大した斜視図である。
【図８】（ａ）（ｂ）はそれぞれ図７の比較例を示し、（ａ）は断面図、（ｂ）は（ａ）の要部を拡大した断面図である。
【図９】従来例を天井面に固定する方法を示す説明図である。
【図１０】従来例を示す分解斜視図である。
【図１１】従来例の要部を示す、一部破断した斜視図である。
【図１２】従来例の要部を示す断面図である。
【符号の説明】
【００２６】
１  器具本体
２  ソケット
３  安定器
４  電線
１０ａ  ボルト挿通穴
１１  被支持突起
１２  被支持筒
１３  電線挿通凹部
Ｂ  支持ボルト
Ｎ  支持ナット
Ｗ  支持ワッシャ
【図１】
2008098112.tif 000003
【図２】
2008098112.tif 000004
【図３】
2008098112.tif 000005
【図４】
2008098112.tif 000006
【図５】
2008098112.tif 000007
【図６】
2008098112.tif 000008
【図７】
2008098112.tif 000009
【図８】
2008098112.tif 000010
【図９】
2008098112.tif 000011
【図１０】
2008098112.tif 000012
【図１１】
2008098112.tif 000013
【図１２】
2008098112.tif 000014